(57)【要約】【課題】商用電源から供給される交流電力の配線経路への分岐点の追加や、建築躯体への電源工事などを必要とすることなく、電気機器を設置する場合と設置しない場合とに対応することができる洗面化粧台を提供する。【解決手段】ボウル部を有する洗面器と、前記ボウル部に向けて水を吐水する水栓装置と、発光素子から照射される光によって前方を照明する照明装置と、商用電源に接続するための接続部と、前記接続部を介して前記商用電源から供給される交流電力を、前記交流電力よりも低い所定の電圧以下の直流電力に変換し、前記直流電力を前記照明装置及び前記照明装置とは別の電気機器に供給可能な電源回路と、を備えたことを特徴とする洗面化粧台である。【選択図】図１
2019146697.tif 000002
【特許請求の範囲】
【請求項１】
ボウル部を有する洗面器と、
前記ボウル部に向けて水を吐水する水栓装置と、
発光素子から照射される光によって前方を照明する照明装置と、
商用電源に接続するための接続部と、
前記接続部を介して前記商用電源から供給される交流電力を、前記交流電力よりも低い所定の電圧以下の直流電力に変換し、前記直流電力を前記照明装置及び前記照明装置とは別の電気機器に供給可能な電源回路と、
を備えたことを特徴とする洗面化粧台。
【請求項２】
前記洗面器の下方に設けられる下部キャビネットをさらに備え、
前記電源回路は、前記下部キャビネット内に収納されていることを特徴とする請求項１記載の洗面化粧台。
【請求項３】
前記電源回路と前記照明装置との間に設けられた中継部をさらに備え、
前記照明装置及び前記電気機器は、前記中継部を介して前記電源回路と接続され、
前記中継部は、前記電源回路から供給された前記直流電力を前記照明装置に対応した照明用電力に変換し、前記照明用電力を前記照明装置に供給する変換回路を有することを特徴とする請求項１又は２に記載の洗面化粧台。
【請求項４】
前記接続部と前記電源回路との間に設けられたサービスコンセントをさらに備えたことを特徴とする請求項１〜３のいずれか１つに記載の洗面化粧台。
【発明の詳細な説明】
【技術分野】
【０００１】
本発明の態様は、一般的に、洗面化粧台に関する。
【背景技術】
【０００２】
鏡の上部などに設置される照明器具を備えるとともに、除菌装置、電気温水器、あるいは体重計などの別の電気機器を備えた洗面化粧台がある。こうした洗面化粧台において、建築躯体に用意されているコンセントを利用し、コンセントから供給される商用電源の交流電力を、照明装置と別の電気機器とに分岐させて供給する配線構造が知られている（例えば、特許文献１）。
【０００３】
一方で、洗面化粧台では、客先のニーズなどにより、電気機器を設置する場合と、設置しない場合とがある。このような場合、電気機器の設置において、商用電源の交流電力の配線経路を現場作業で分岐させ、照明装置と別の電気機器とに供給することが行われている。
【０００４】
しかしながら、商用電源から供給される交流電力を現場作業で分岐させようとすると、分岐部に対して延焼防止のため不燃袋で覆う作業や、コードが引っ張られた際に張力が分岐箇所に伝わらないようにする張力止めの機構を設ける作業などが必要となってしまう。つまり、作業工程が複雑になるとともに、施工コストの増加を招いてしまう可能性がある。
【０００５】
また、照明装置と別の電気機器とを、それぞれ別に建築躯体のコンセントに接続することも考えられるが、建築躯体には、一口のコンセントしか設けられていない場合も多い。さらには、直結配線で照明装置と接続される場合もある。これらの場合、建築躯体にコンセントの追加などの電源工事が必要となってしまい、同様に作業工程の複雑化やコストの増加などを招いてしまう。
【０００６】
このため、洗面化粧台においては、商用電源から供給される交流電力の配線経路への分岐点の追加や、建築躯体への電源工事などを必要とすることなく、電気機器を設置する場合と設置しない場合とに対応できるようにすることが望まれる。
【先行技術文献】
【特許文献】
【０００７】
【特許文献１】特開２００７−７５１６９号公報
【発明の概要】
【発明が解決しようとする課題】
【０００８】
本発明は、かかる課題の認識に基づいてなされたものであり、商用電源から供給される交流電力の配線経路への分岐点の追加や、建築躯体への電源工事などを必要とすることなく、電気機器を設置する場合と設置しない場合とに対応することができる洗面化粧台を提供することを目的とする。
【課題を解決するための手段】
【０００９】
第１の発明は、ボウル部を有する洗面器と、前記ボウル部に向けて水を吐水する水栓装置と、発光素子から照射される光によって前方を照明する照明装置と、商用電源に接続するための接続部と、前記接続部を介して前記商用電源から供給される交流電力を、前記交流電力よりも低い所定の電圧以下の直流電力に変換し、前記直流電力を前記照明装置及び前記照明装置とは別の電気機器に供給可能な電源回路と、を備えたことを特徴とする洗面化粧台である。
【００１０】
この洗面化粧台によれば、電気機器を電源回路に接続するだけで、照明装置及び電気機器に電力を供給することができる。建築躯体に用意されているコンセントが一口又は直結配線であっても、追加の電源工事や商用電源の配線経路を分岐する作業などを不要とすることができる。これにより、施工作業が容易になるとともに、施工にかかる時間及びコストの削減を図ることができる。従って、商用電源から供給される交流電力の配線経路への分岐点の追加や、建築躯体への電源工事などを必要とすることなく、電気機器を設置する場合と設置しない場合とに対応することができる洗面化粧台を提供することができる。
【００１１】
第２の発明は、第１の発明において、前記洗面器の下方に設けられる下部キャビネットをさらに備え、前記電源回路は、前記下部キャビネット内に収納されていることを特徴とする洗面化粧台である。
【００１２】
照明装置及び電気機器に直流電力を供給可能な電源回路とした場合、例えば、照明装置のみに直流電力を供給する電源回路などと比べて比較的大きくなる可能性がある。このため、例えば、このような電源回路を照明装置に設けると、照明装置のサイズが大きくなってしまう恐れがある。この洗面化粧台によれば、電源回路を下部キャビネット内に収納することにより、照明装置及び電気機器に直流電力を供給可能な電源回路とした場合にも、照明装置などのサイズをコンパクトに維持することができる。
【００１３】
第３の発明は、第１又は第２の発明において、前記電源回路と前記照明装置との間に設けられた中継部をさらに備え、前記照明装置及び前記電気機器は、前記中継部を介して前記電源回路と接続され、前記中継部は、前記電源回路から供給された前記直流電力を前記照明装置に対応した照明用電力に変換し、前記照明用電力を前記照明装置に供給する変換回路を有することを特徴とする洗面化粧台である。
【００１４】
この洗面化粧台によれば、電源回路から照明装置に至るまでの配線長が長くなった場合にも、電源回路と照明装置との間に中継部を設け、中継部で照明用電力を生成することにより、配線長に起因する電力の減衰を抑制し、適切な光量で照明装置を点灯させることができる。
【００１５】
第４の発明は、第１〜第３のいずれか１つの発明において、前記接続部と前記電源回路との間に設けられたサービスコンセントをさらに備えたことを特徴とする洗面化粧台である。
【００１６】
この洗面化粧台によれば、サービスコンセントをさらに備えることにより、洗面化粧台の利便性をより高めることができる。また、サービスコンセントを接続部と電源回路との間に設け、サービスコンセントを介して電源回路に商用電源の交流電力を供給することにより、サービスコンセントを設ける場合にも、追加の電源工事や商用電源の配線経路を分岐する作業などを不要とすることができる。
【発明の効果】
【００１７】
本発明の態様によれば、商用電源から供給される交流電力の配線経路への分岐点の追加や、建築躯体への電源工事などを必要とすることなく、電気機器を設置する場合と設置しない場合とに対応することができる洗面化粧台が提供される。
【図面の簡単な説明】
【００１８】
【図１】実施形態に係る水栓装置を設置した洗面化粧台を模式的に表す斜視図である。
【図２】図２（ａ）及び図２（ｂ）は、実施形態に係る水栓装置を模式的に表す斜視図及び正面図である。
【図３】実施形態に係る洗面化粧台を模式的に表すブロック図である。
【発明を実施するための形態】
【００１９】
以下、本発明の実施形態について図面を参照しつつ説明する。なお、各図面中、同様の構成要素には同一の符号を付して詳細な説明は適宜省略する。  
図１は、実施形態に係る水栓装置を設置した洗面化粧台を模式的に表す斜視図である。  図１に表したように、洗面化粧台１００は、洗面器１０２と、水栓装置１０と、下部キャビネット１０６と、ミラーキャビネット１０８と、照明装置１１０と、を備える。
【００２０】
なお、本願明細書では、水栓装置１０と向き合う使用者からみて手前側を「前方」とし、奥側を「後方」とし、上側を「上方」とし、下側を「下方」とし、右側を「右側方」とし、左側を「左側方」とする。
【００２１】
洗面器１０２は、ボウル部１２２と、バックガード部１２４と、を有する。ボウル部１２２は、下方に向かって凹んだ凹状に形成されている。ボウル部１２２は、排水口（不図示）を有する。排水口は、ボウル部１２２の底部に設けられる。排水口は、排水管に接続され、ボウル部１２２に吐出された水を排水管に流す。
【００２２】
バックガード部１２４は、ボウル部１２２の後端から上方に延びる。バックガード部１２４は、必要に応じて設けられ、省略可能である。洗面器１０２の形状は、少なくともボウル部１２２を有する任意の形状でよい。
【００２３】
洗面器１０２は、下部キャビネット１０６の上に設けられる。下部キャビネット１０６は、洗面器１０２の下方に設けられ、洗面器１０２を支持する。下部キャビネット１０６は、例えば、本体部１０６ａと、２つの引き出し１０６ｂ、１０６ｃと、を有する。各引き出し１０６ｂ、１０６ｃは、内部に物品を収納可能とする。
【００２４】
なお、引き出しの数は、２つに限ることなく、１つでもよいし、３つ以上でもよい。また、下部キャビネット１０６は、引き出し式のキャビネットに限ることなく、扉式のキャビネットでもよい。また、洗面器１０２は、例えば、洗面所などの壁面に直接取り付けてもよい。すなわち、下部キャビネット１０６は、必要に応じて設けられ、省略可能である。
【００２５】
水栓装置１０は、ボウル部１２２よりも上方に延びる壁面ＷＳに設けられる。水栓装置１０は、例えば、洗面器１０２のバックガード部１２４に取り付けられ、ボウル部１２２の上方に配置される。これにより、水栓装置１０は、洗面器１０２のボウル部１２２に向けて水を吐水する。本願明細書において、「前方」は、換言すれば、壁面ＷＳの向く方向である。
【００２６】
水栓装置１０の取付位置は、上記に限ることなく、例えば、洗面器１０２の後部上方に設けられる取付パネル（バックパネル）などに取り付けてもよいし、洗面所などの壁面に直接取り付けてもよい。水栓装置１０の取付位置は、ボウル部１２２内に水を吐出可能な任意の位置でよい。水栓装置１０の取付位置は、ボウル部１２２よりも上方に延びる任意の壁面ＷＳでよい。水栓装置１０の取付位置は、洗面器１０２の形状などに応じて適宜設定すればよい。
【００２７】
ミラーキャビネット１０８は、ボウル部１２２を有する洗面器１０２よりも上方に設置される。ミラーキャビネット１０８は、キャビネット本体１３０と、３枚の扉１３１〜１３３と、を有する。キャビネット本体１３０は、前方を開口させた略直方体の開口箱状であり、内部に物品を収納可能とする。また、各扉１３１〜１３３の前面には、鏡１３１ａ〜１３３ａが設けられている。なお、ミラーキャビネット１０８に設けられる扉及び鏡の数は、３枚に限ることなく、１枚又は２枚でもよいし、４枚以上でもよい。また、ミラーキャビネット１０８を設ける代わりに、例えば、一面鏡などを洗面器１０２の上方に設置してもよい。
【００２８】
照明装置１１０は、ミラーキャビネット１０８の上部に設けられている。照明装置１１０は、例えば、ミラーキャビネット１０８において各扉１３１〜１３３よりも上方に設けられる。照明装置１１０は、前方に向かって光を照射し、各扉１３１〜１３３（各鏡１３１ａ〜１３３ａ）、及びボウル部１２２を照らす。照明装置１１０は、ミラーキャビネット１０８の上部に限ることなく、ミラーキャビネット１０８の下部や側端部、内部に設けてもよい。
【００２９】
洗面化粧台１００は、接続部１４０と、サービスコンセント１４２と、照明スイッチ１４４と、をさらに備える。接続部１４０は、商用電源に接続するための配線である。接続部１４０の一端には、例えば、建築躯体に設けられたコンセントに接続するためのプラグが設けられている。接続部１４０は、例えば、建築躯体側の配線と直結配線するための配線でもよい。接続部１４０を建築躯体側のコンセント又は配線と接続することにより、洗面化粧台１００に商用電源の交流電力が供給される。例えば、照明装置１１０は、接続部１４０を介して商用電源から供給された交流電力に基づいて点灯する。
【００３０】
サービスコンセント１４２は、ヘアドライヤーや電気シェーバーなどを接続して使用できるよう、商用電源から供給された交流電力を使用者側に供給可能とする。照明スイッチ１４４は、照明装置１１０の点灯及び消灯の切り替えに用いられる。
【００３１】
サービスコンセント１４２及び照明スイッチ１４４は、ミラーキャビネット１０８の前面に設けられている。サービスコンセント１４２及び照明スイッチ１４４の取付位置は、これに限ることなく、任意の位置でよい。
【００３２】
図２（ａ）及び図２（ｂ）は、実施形態に係る水栓装置を模式的に表す斜視図及び正面図である。  
図２（ａ）及び図２（ｂ）に表したように、水栓装置１０は、吐水部１２と、操作部１４と、棚部１６と、を備える。
【００３３】
吐水部１２は、ボウル部１２２へ水を吐出する。吐水部１２は、いわゆるスパウトである。吐水部１２には、水を吐出する吐水口１２ａが設けられている。操作部１４は、吐水部１２から吐出される水の流量を調整する。また、操作部１４は、吐水部１２から吐出される水の温度を調整する。
【００３４】
操作部１４は、操作レバー１４ａを有する。操作部１４は、使用者による操作レバー１４ａの操作に応じて、吐水部１２から吐出される水の流量及び温度を調整する。操作レバー１４ａは、例えば、前後方向及び左右方向に揺動可能に上端部を操作部１４の本体部分に軸支される。例えば、操作レバー１４ａを前後方向に揺動させることにより、吐水部１２から吐出される水の流量が調整され、操作レバー１４ａを左右方向に揺動させることにより、吐水部１２から吐出される水の温度が調整される。操作部１４における流量及び温度の調整の態様は、操作レバー１４ａに限ることなく、流量及び温度を調整可能な任意の態様でよい。
【００３５】
吐水部１２は、操作部１４に設けられた湯水混合部などを介して下部キャビネット１０６の内部空間などに設けられた給水管及び給湯管に接続される。吐水部１２から吐出される水は、例えば、上水（水道水）である。吐水部１２から吐出される水の温度調整は、操作部１４とは別の調整部で行ってもよい。操作部１４は、少なくとも吐水部１２から吐出される水の流量を調整できればよい。
【００３６】
棚部１６は、壁面ＷＳから前方に突出するように設けられる。棚部１６は、上面１６ａと、前面１６ｂと、底面１６ｃと、を有する。上面１６ａは、例えば、略水平な面である。棚部１６は、上面１６ａの上に洗面用具や眼鏡などの物品を載置可能とする。
【００３７】
前面１６ｂは、棚部１６の上部に設けられる。この例において、前面１６ｂは、略鉛直面である。換言すれば、前面１６ｂは、前方を向く略垂直な面である。前面１６ｂは、後方に向かって上昇傾斜した傾斜面でもよい。前面１６ｂは、鉛直面又は後方に向かって上昇傾斜した傾斜面であればよい。底面１６ｃは、例えば、前面１６ｂの下端から後方に向かって下降傾斜する傾斜面状である。但し、前面１６ｂは、必要に応じて設けられ、省略可能である。例えば、後方に向かって下降傾斜する底面１６ｃを、上面１６ａの前端から設けてもよい。
【００３８】
吐水部１２及び操作部１４は、棚部１６の下部に設けられる。吐水部１２は、棚部１６の下方に向けて水を吐出する。操作部１４の操作レバー１４ａは、棚部１６から下方に向かって延びる。棚部１６は、吐水部１２及び操作部１４の上方を覆う。
【００３９】
吐水部１２、操作部１４、及び棚部１６は、例えば、それぞれ個別に壁面ＷＳ（バックガード部１２４の前面）に取り付けられる。これにより、例えば、メンテナンスの際などに、吐水部１２及び操作部１４を壁面ＷＳに取り付けた状態のまま、棚部１６のみを壁面ＷＳから取り外すことができ、水栓装置１０のメンテナンス性を向上させることができる。また、例えば、制御部１６０（図３参照）などの電子機器を棚部１６の内部に収納する場合、上記のような構成とすることで、吐水部１２及び操作部１４を壁面ＷＳから取り外すことなく、棚部１６のみを壁面ＷＳ取り外すだけで、制御部１６０などの電子機器のメンテナスを行うこともできる。但し、吐水部１２及び操作部１４は、棚部１６に取り付け、棚部１６を介して壁面ＷＳに取り付けてもよい。
【００４０】
吐水部１２は、壁面ＷＳ又は棚部１６に固定された固定式であってもよいし、壁面ＷＳ又は棚部１６から取り外すことができるプルアウト式であってもよい。プルアウト式の吐水部１２は、例えば、可撓性を有するホースに接続されており、吐水部１２が壁面ＷＳ又は棚部１６に取り付けられた状態においては、ホースはバックガード部１２４の裏側の空間などに収納されている。吐水部１２を壁面ＷＳ又は棚部１６から取り外し、ホースを引き出すことにより、吐水部１２をハンドシャワーとして用いることができる。
【００４１】
水栓装置１０は、機能水吐出部２０と、機能水照射部２２と、センサ部２４と、を有する。機能水吐出部２０は、除菌作用を有する機能水をボウル部１２２に吐出する。機能水吐出部２０は、棚部１６の下部に設けられ、下方に向けて機能水を吐出する。機能水吐出部２０は、例えば、ボウル部１２２の排水口に向けて機能水を吐出する。
【００４２】
水栓装置１０では、例えば、機能水吐出部２０からボウル部１２２に機能水を吐出することにより、ボウル部１２２の排水口や排水口の内部における菌の繁殖を抑えることができる。洗面化粧台１００及び水栓装置１０では、例えば、排水口及び排水口の内部の除菌を行い、洗面器１０２を清潔に保つことができる。また、歯ブラシやコップなどに機能水を吐出することにより、これらの除菌を行うこともできる。
【００４３】
機能水吐出部２０は、例えば、機能水を霧状にしてボウル部１２２に噴霧する。機能水吐出部２０は、例えば、ミストノズルである。機能水吐出部２０から噴霧される霧状の機能水の外径（広がりの幅）は、機能水吐出部２０の噴霧口の開口径よりも大きい。機能水吐出部２０は、例えば、円錐状に機能水を噴霧する。これにより、例えば、ボウル部１２２の広範囲に機能水を付着させることができ、洗面器１０２をより適切に除菌することができる。機能水吐出部２０からの機能水の吐出の形態は、霧状に限ることなく、液滴状や水流状でもよい。
【００４４】
機能水照射部２２は、機能水吐出部２０と並べて棚部１６の下部に設けられている。また、機能水照射部２２は、下方に向けて設けられている。機能水照射部２２は、機能水吐出部２０から機能水を吐出する際に点灯する。機能水照射部２２は、機能水吐出部２０から吐出されている最中の機能水のうちで機能水吐出部２０よりも下方の所定範囲に存在する機能水に光を照射する。これにより、機能水照射部２２は、機能水の吐出が行われていることを使用者に報知するとともに、吐出されている機能水を見易くする。機能水照射部２２から光を照射することにより、例えば、機能水吐出部２０から霧状に噴霧されている機能水を見易くすることができる。
【００４５】
機能水照射部２２は、例えば、円錐状に光を照射する。機能水照射部２２の光の照射範囲は、機能水吐出部２０の機能水の吐出範囲（噴霧範囲）よりも広い。換言すれば、機能水照射部２２の光の照射角度は、機能水吐出部２０の機能水の吐出角度（噴霧角度）よりも広い。これにより、機能水照射部２２は、機能水吐出部２０から吐出されている最中の機能水のうちで機能水吐出部２０よりも下方の所定範囲に存在する機能水の略全体に光を照射する。機能水照射部２２は、機能水吐出部２０から吐出され、所定位置よりも下方に降下する機能水の略全体に光を照射する。これにより、吐出されている機能水をより見易くすることができる。
【００４６】
センサ部２４は、棚部１６の下方の領域で且つ吐水部１２の近傍に存在する手を検知する。センサ部２４は、例えば、ボウル部１２２内又はボウル部１２２の上方に差し出された使用者の手を検知する。センサ部２４は、例えば、ボウル部１２２と吐水部１２との間に差し出された使用者の手を検知する。
【００４７】
水栓装置１０は、センサ部２４による手の検知に応じて、吐水部１２から水を吐出させる。また、水栓装置１０は、センサ部２４による手の検知の停止に応じて、吐水部１２からの水の吐出を停止させる。このように、水栓装置１０は、操作部１４の手動操作に応じて吐水部１２から水を吐止水するとともに、センサ部２４の検知結果に応じて、吐水部１２から自動的に水を吐止水する。水栓装置１０は、いわゆる自動水栓の機能を有する。
【００４８】
水栓装置１０は、機能水操作スイッチ２６と、自動吐水切替スイッチ２７と、温水準備スイッチ２８と、を有する。各スイッチ２６〜２８は、棚部１６の前面１６ｂに設けられている。各スイッチ２６〜２８の位置は、前面１６ｂに限ることなく、棚部１６の任意の位置でよい。各スイッチ２６〜２８には、例えば、タッチセンサや押しボタンスイッチなどが用いられる。各スイッチ２６〜２８は、スライド式のスイッチやレバーなどでもよく、操作指示の入力が可能な任意の部材でよい。
【００４９】
機能水操作スイッチ２６は、機能水吐出部２０からの機能水の吐止水の切り替えに用いられる。水栓装置１０は、使用者による機能水操作スイッチ２６の操作に応じて機能水吐出部２０から機能水を吐出する。水栓装置１０は、例えば、機能水操作スイッチ２６の操作に応じて機能水の噴霧を所定時間（例えば、１０秒間）行い、所定時間の経過に応じて自動的に機能水の噴霧を停止する。
【００５０】
水栓装置１０は、例えば、機能水操作スイッチ２６の１回目の操作で機能水の噴霧を行い、機能水操作スイッチ２６の２回目の操作で機能水の噴霧を停止させてもよい。例えば、所定時間の経過などにより、機能水操作スイッチ２６の操作とは無関係に機能水吐出部２０から自動的に機能水を噴霧してもよい。以下では、機能水操作スイッチ２６の操作に応じて行う機能水の噴霧を「手動吐水」、機能水操作スイッチ２６の操作とは無関係に行う機能水の噴霧を「自動吐水」と称す。
【００５１】
自動吐水機能のオン・オフは、例えば、機能水操作スイッチ２６の操作によって切り替えられる。例えば、自動吐水機能がオフに設定されている状態で機能水操作スイッチ２６を長押しする（所定時間押し続ける）ことにより、オンに設定される。そして、自動吐水機能がオンに設定されている状態で機能水操作スイッチ２６を長押しすることにより、オフに設定される。
【００５２】
また、水栓装置１０は、例えば、自動吐水機能を開始する直前に機能水照射部２２を点滅させることにより、自動吐水機能が開始されることを使用者に報知する。使用者への報知方法としては、点滅以外に点灯するものや明滅するものであってもよい。吐水が行われているか否かの報知、及び自動吐水開始の報知は、光の照射に限ることなく、例えば、音声などで行ってもよい。これらの報知は、報知が可能な任意の態様でよい。
【００５３】
自動吐水切替スイッチ２７は、操作部１４の手動操作に応じて吐水部１２から水を吐止水する手動吐水と、センサ部２４の検知結果に応じて吐水部１２から自動的に水を吐止水する自動吐水と、の切り替えに用いられる。すなわち、自動吐水切替スイッチ２７の操作に応じて、吐水部１２の手動吐水と自動吐水とが切り替えられる。
【００５４】
温水準備スイッチ２８は、吐水部１２からの温水の吐水に用いられる。水栓装置１０は、温水準備スイッチ２８が操作されると、操作部１４で設定された所定の温度の温水が吐水部１２から吐水されるまで、吐水部１２から水又は温水を吐水する。換言すれば、水栓装置１０は、温水準備スイッチ２８が操作されると、給水源及び給湯源から吐水部１２の吐水口１２ａまでの配管内の水が、温水に置換されるまで、吐水部１２から水又は温水を吐水する。
【００５５】
これにより、例えば、吐水部１２から吐水される水が温水に変わったか否かを、使用者が水に手指を当てて実際に確認する手間を省くことができ、水栓装置１０の利便性をより向上させることができる。
【００５６】
水栓装置１０は、温水準備スイッチ２８が操作され、吐水部１２からの吐水を開始した後、吐水部１２から吐水される水の温度が所定の温度に達したことに応答して、吐水部１２からの吐水を停止する。また、水栓装置１０は、温水準備スイッチ２８が操作され、吐水部１２からの吐水を開始した後、所定時間経過しても、吐水部１２から吐水される水の温度が所定の温度に達しなかった場合に、吐水部１２からの吐水を停止する。これにより、例えば、操作部１４や給湯器の操作ミスなどで温度が上昇しなかった場合に、吐水部１２から水が出続けてしまうことを抑制することができる。
【００５７】
図３は、実施形態に係る洗面化粧台を模式的に表すブロック図である。  
図３に表したように、洗面化粧台１００は、電源回路１５０を備える。また、この例において、洗面化粧台１００は、機能水吐出部２０から吐出する機能水を生成するための機能水生成部１５２をさらに備える。
【００５８】
機能水生成部１５２は、洗面化粧台１００において照明装置１１０とは別の電気機器の一例である。機能水生成部１５２は、水栓装置１０が機能水の吐出機能を有する場合のみに必要応じて設けられる。洗面化粧台１００に設けられる照明装置１１０とは別の電気機器は、機能水生成部１５２に限ることなく、例えば、電気温水器や体重計などでもよい。
【００５９】
電源回路１５０は、接続部１４０を介して商用電源ＰＳから供給される交流電力を、交流電力よりも低い所定の電圧以下の直流電力に変換する。変換後の直流電力の電圧の実効値は、商用電源ＰＳの交流電力の電圧の実効値よりも低い。電源回路１５０は、変換後の直流電力を照明装置１１０及び別の電気機器である機能水生成部１５２に供給可能である。電源回路１５０は、例えば、商用電源ＰＳの交流１００Ｖ（実効値）の交流電力を、２４Ｖの直流電力に変換し、この直流電力を照明装置１１０及び機能水生成部１５２に供給する。電源回路１５０は、例えば、定電圧電源である。所定の電圧以下とは、具体的には、安全特別低電圧（ＳＥＬＶ）に定められた数値を指し、例えば直流４５Ｖ以下を指す。
【００６０】
照明装置１１０は、発光素子１１０ａを有する。発光素子１１０ａは、例えば、ＬＥＤである。照明装置１１０は、例えば、直列に接続された複数の発光素子１１０ａを有する。これにより、照明装置１１０は、電源回路１５０からの直流電力の供給に応じて発光素子１１０ａから光を照射し、発光素子１１０ａから照射される光によって前方を照明する。
【００６１】
洗面化粧台１００は、サービスコンセント１４２、１４６を備える。サービスコンセント１４２、１４６は、接続部１４０と電源回路１５０との間に設けられる。電源回路１５０は、サービスコンセント１４２、１４６及び接続部１４０を介して商用電源ＰＳと電気的に接続される。
【００６２】
サービスコンセント１４２は、前述のように、ミラーキャビネット１０８の前面に設けられる。一方、サービスコンセント１４６は、ミラーキャビネット１０８の内部に設けられる。これにより、洗面化粧台１００の利便性をより向上させることができる。サービスコンセント１４２、１４６の取付位置は、任意の位置でよい。サービスコンセント１４２、１４６は、必要に応じて設けられ、省略可能である。
【００６３】
洗面化粧台１００は、電磁弁１５４、１５５、１５６と、分岐金具１５７と、漏水検知センサ１５８と、をさらに備える。また、水栓装置１０は、制御部１６０（中継部）と、温度センサ１６２と、照明部１６４と、着脱検知センサ１６６と、表示操作部１６８と、をさらに備える。
【００６４】
電源回路１５０、機能水生成部１５２、電磁弁１５４、１５５、１５６と、分岐金具１５７と、及び漏水検知センサ１５８は、下部キャビネット１０６内に収納されている。制御部１６０、温度センサ１６２、照明部１６４、着脱検知センサ１６６、及び表示操作部１６８は、棚部１６内に収納されている。これらの各部の配置は、上記に限ることなく、任意の位置でよい。
【００６５】
制御部１６０は、水栓装置１０及び洗面化粧台１００の各部を制御する。制御部１６０は、センサ部２４、及び各スイッチ２６〜２８と接続されている。制御部１６０は、センサ部２４、及び各スイッチ２６〜２８などからの入力に応じて、水栓装置１０及び洗面化粧台１００の各部を制御する。
【００６６】
各スイッチ２６〜２８は、表示操作部１６８に設けられている。表示操作部１６８には、各スイッチ２６〜２８の他に、例えば、各スイッチ２６〜２８の操作に応じて点灯・消灯し、操作状態を使用者などに報知する発光素子などが設けられる。
【００６７】
制御部１６０は、電源回路１５０と照明装置１１０との間に設けられている。制御部１６０は、電源回路１５０からの直流電力の供給に応じて動作する。照明装置１１０及び機能水生成部１５２は、制御部１６０を介して電源回路１５０と接続される。制御部１６０は、機能水生成部１５２を接続するための接続口１８０を有する。機能水生成部１５２は、接続口１８０を介して制御部１６０に着脱可能に接続される。すなわち、制御部１６０は、別の電気機器を着脱可能に接続するための接続口１８０を有する。これにより、機能水生成部１５２などの別の電気機器を設置する場合と設置しない場合とを容易に切り替えることができる。
【００６８】
制御部１６０は、照明用変換回路１８２と、制御用変換回路１８４と、を有する。照明用変換回路１８２は、電源回路１５０から供給された直流電力を照明装置１１０に対応した照明用電力に変換し、照明用電力を照明装置１１０に供給する。
【００６９】
照明用変換回路１８２は、例えば、電源回路１５０から供給された２４Ｖの実質的に一定の電圧の直流電力から、所定の周期でオン・オフを繰り返す２４Ｖのパルス電圧（パルス信号）の照明用電力に変換する。
【００７０】
照明用変換回路１８２は、例えば、照明装置１１０の発光素子１１０ａに流れる電流を検知し、その検知結果に応じてパルス電圧のデューティ比を変化させることにより、照明装置１１０の発光素子１１０ａに実質的に一定の電流が流れるようにする。照明用変換回路１８２は、例えば、定電流変換回路である。
【００７１】
また、照明用変換回路１８２は、例えば、表示操作部１６８などの操作に応じて、パルス電圧のデューティ比を変化させる。これにより、例えば、ミラーキャビネット１０８、鏡１３１ａ〜１３３ａ、及び照明装置１１０などの横幅が異なる複数の機種などに応じて、照明装置１１０から照射される光の明るさを変化させることができる。例えば、照明装置１１０などの横幅の長い機種の場合に、照明装置１１０から照射される光の照度を大きくし、照明装置１１０などの横幅の短い機種の場合に、照明装置１１０から照射される光の照度を小さくすることができる。
【００７２】
あるいは、表示操作部１６８などの操作に応じて、照明装置１１０から照射される光の明るさを、使用者の好みの明るさに変化させることができる。照明装置１１０において、いわゆる調光を行うことができる。
【００７３】
制御部１６０は、照明スイッチ１４４と接続されている。制御部１６０は、照明スイッチ１４４のオン操作に応じて、照明用変換回路１８２の照明用電力を照明装置１１０に供給することにより、照明装置１１０を点灯させる。そして、制御部１６０は、照明スイッチ１４４のオフ操作に応じて、照明用変換回路１８２の照明用電力の照明装置１１０への供給を停止することにより、照明装置１１０を消灯させる。
【００７４】
制御用変換回路１８４は、電源回路１５０から供給された直流電力を制御用電力に変換し、制御用電力を各部に供給する。制御用変換回路１８４は、例えば、２４Ｖの直流電力を５Ｖの直流の制御用電力に変換する。制御用変換回路１８４は、例えば、降圧型のＤＣ−ＤＣコンバータである。制御用電力の直流電圧値は、電源回路１５０から供給された直流電力の直流電圧値よりも低い任意の電圧値でよい。
【００７５】
制御部１６０は、例えば、電源回路１５０から供給された２４Ｖの直流電力を、機能水生成部１５２、及び電磁弁１５４、１５５、１５６にそのまま供給することにより、これらの動作を制御する。また、制御部１６０は、照明用変換回路１８２によって生成されたパルス電圧の照明用電力を照明装置１１０に供給することにより、照明装置１１０の点灯を制御する。そして、制御部１６０は、例えば、制御用変換回路１８４によって生成された５Ｖの制御用電力を、機能水照射部２２、センサ部２４、漏水検知センサ１５８、温度センサ１６２、照明部１６４、着脱検知センサ１６６、及び表示操作部１６８に供給することにより、これらの動作を制御する。
【００７６】
センサ部２４は、制御部１６０に接続され、検知結果を制御部１６０に入力する。センサ部２４には、例えば、投光部と受光部とを有する赤外線測距センサが用いられる。センサ部２４には、例えば、焦電センサや超音波センサなどを用いてもよい。センサ部２４は、例えば、赤外線などの電磁波や超音波などの信号波を基に、人体や手などを非接触で検知可能な任意のセンサでよい。
【００７７】
制御部１６０は、センサ部２４による手の検知に応じて、吐水部１２から水を吐出させる。また、制御部１６０は、センサ部２４による手の検知の停止に応じて、吐水部１２からの水の吐出を停止させる。これにより、前述のように、自動吐水の制御が行われる。
【００７８】
電磁弁１５４は、止水栓１７０を介して給湯管などの給湯源ＨＳに接続されている。電磁弁１５５は、分岐金具１５７及び止水栓１７２を介して給水管などの給水源ＭＳに接続されている。電磁弁１５４、１５５は、操作部１４に接続されている。また、電磁弁１５４、１５５は、制御部１６０に接続されている。制御部１６０は、電磁弁１５４、１５５の開閉を制御する。電磁弁１５４、１５５を開状態とすることにより、給水源ＭＳから供給された水、及び給湯源ＨＳから供給されたお湯が、操作部１４に供給される。
【００７９】
操作部１４は、流量調整弁をさらに有する。操作レバー１４ａは、流量調整弁に接続され、流量調整弁の開弁量を調整する。流量調整弁は、操作レバー１４ａで設定された開弁量に基づいて、給水源ＭＳから供給された水、及び給湯源ＨＳから供給されたお湯のそれぞれの流量を調整する。そして、流量調整弁は、流量調整後の水及びお湯を混合して吐水部１２に供給する。これにより、吐水部１２から吐出される水の流量及び温度が調整される。
【００８０】
制御部１６０は、自動吐水切替スイッチ２７によって手動吐水が設定されている場合、電磁弁１５４、１５５を開状態とする。これにより、手動吐水の状態では、操作部１４の操作に応じて、吐水部１２から水が吐水される。
【００８１】
一方、制御部１６０は、自動吐水切替スイッチ２７によって自動吐水が設定されている場合、センサ部２４の検知結果に応じて電磁弁１５４、１５５の開閉を制御する。この際、操作部１４の操作レバー１４ａは、流量調整弁を所定の流量で開いた状態としておく。これにより、自動吐水の状態では、センサ部２４の検知結果に応じて、吐水部１２から水が吐水される。
【００８２】
温度センサ１６２は、吐水部１２と操作部１４（流量調整弁）との間の経路上に設けられ、吐水部１２から吐水される水の温度を検知する。温度センサ１６２は、制御部１６０に接続され、検知結果を制御部１６０に入力する。
【００８３】
制御部１６０は、温度センサ１６２の検知結果を基に、前述の温水準備の動作を行う。温水準備の動作を行う場合、使用者は、自動吐水を設定した後に温水準備スイッチ２８を操作するか、あるいは、温水準備スイッチ２８を操作した後に、操作部１４の操作レバー１４ａを操作して流量調整弁を開状態にする。
【００８４】
制御部１６０は、温水準備スイッチ２８の操作に応答して、電磁弁１５４、１５５を開状態とし、吐水部１２からの吐水を開始した後、温度センサ１６２の検知結果を基に、吐水部１２から吐水される水の温度が所定の温度に達したか否かを判定する。制御部１６０は、所定の温度に達したと判定した場合に、電磁弁１５４、１５５を閉状態とし、吐水部１２からの吐水を停止させる。また、制御部１６０は、所定時間経過しても、所定の温度に達しなかった場合にも、電磁弁１５４、１５５を閉状態とし、吐水部１２からの吐水を停止させる。
【００８５】
電磁弁１５６は、分岐金具１５７及び止水栓１７２を介して給水源ＭＳに接続されている。電磁弁１５６は、機能水生成部１５２に接続されている。また、電磁弁１５６は、制御部１６０に接続されている。制御部１６０は、電磁弁１５６の開閉を制御する。電磁弁１５６を開状態とすることにより、給水源ＭＳから供給された水が、機能水生成部１５２に供給される。
【００８６】
機能水生成部１５２は、電磁弁１５６から供給された水（水道水）から機能水を生成し、生成した機能水を機能水吐出部２０に供給する。また、機能水生成部１５２は、制御部１６０に接続されている。機能水生成部１５２における機能水の生成は、制御部１６０によって制御される。
【００８７】
制御部１６０は、機能水操作スイッチ２６からの操作指示の入力に応じて、電磁弁１５６を開くとともに、機能水生成部１５２を動作させる。これにより、使用者の機能水操作スイッチ２６の操作に応じて、機能水が、機能水吐出部２０からボウル部１２２に吐出される。また、制御部１６０は、機能水の吐出に応じて機能水照射部２２を点灯させ、前述のように、機能水吐出部２０から吐出された機能水を照らす。
【００８８】
機能水生成部１５２は、例えば、電解槽を有する。電解槽の内部には、陽極板および陰極板が設けられている。機能水生成部１５２は、制御部１６０から送信される信号に基づいて、電解槽の内部を流れる水道水や雑用水を電気分解する。ここで、水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。そのため、塩化物イオンを電気分解することにより次亜塩素酸が生成される。その結果、機能水生成部１５２において電気分解された水（電解水）は、次亜塩素酸を含む液（機能水）に変化する。次亜塩素酸は、例えば、消臭成分あるいは殺菌成分として機能する。次亜塩素酸を含む液は、一般細菌などを減らしたりすることができる。
【００８９】
なお、本実施形態の機能水生成部１５２は、次亜塩素酸を含む液を生成することに限定されるわけではない。機能水生成部１５２において生成される機能水は、銀イオンや銅イオンなどの金属イオンを含む液であってもよい。あるいは、機能水生成部１５２において生成される機能水は、電解塩素やオゾンなどを含む液であってもよい。あるいは、機能水生成部１５２において生成される機能水は、酸性水やアルカリ水であってもよい。また、機能水生成部１５２は、電解槽と、陽極板と、陰極板と、を有する電解槽ユニットに限定されるわけではない。
【００９０】
照明部１６４は、例えば、棚部１６内に設けられている。棚部１６は、光透過窓４６を有する（図２（ｂ）参照）。光透過窓４６は、棚部１６の底面１６ｃに設けられている。照明部１６４は、棚部１６内において光透過窓４６と対向して配置され、光透過窓４６を介して棚部１６の外部に光を照射する。光透過窓４６は、例えば、照明部１６４の照射する光（可視光）に対して、光透過性と光拡散性とを有する。
【００９１】
光透過窓４６は、非光透過性の棚部１６内に設けられた照明部１６４の光を棚部１６の外部に出射させるとともに、棚部１６の底面１６ｃに設けられた開口を塞ぐ。これにより、照明部１６４を棚部１６内に設けた場合にも、棚部１６内への水の侵入を抑制することができる。例えば、水栓装置１０の美観の低下を抑制することもできる。光透過窓４６には、例えば、半透明（乳白色）の樹脂材料が用いられる。光透過窓４６は、換言すれば、光拡散板である。
【００９２】
照明部１６４は、下方に向かって光を照射し、光透過窓４６を透過させることにより、棚部１６の鉛直下方の領域を照らす。このように、照明部１６４は、棚部１６に設けられ、棚部１６から下方に向かって光を照射することにより、棚部１６の鉛直下方の領域を照らす。換言すれば、照明部１６４は、棚部１６の直下の領域を照らす。棚部１６の鉛直下方の領域は、照明部１６４によって照らされる。
【００９３】
照明部１６４は、棚部１６の鉛直下方の領域を照らすことにより、吐水部１２及び吐水部１２から吐出された水の周囲を消灯時よりも明るくする。換言すれば、吐水部１２は、照明部１６４の光で照らされる位置に水を吐出する。吐水部１２は、照明部１６４によって照らされる棚部１６の下方の領域に水を吐出する。吐水部１２は、例えば、ボウル部１２２のうち、照明部１６４の光で照らされる位置に水を吐出する。また、センサ部２４の検知範囲の少なくとも一部は、棚部１６の下方において照明部１６４による光で照らされる位置に設けられる。これにより、夜間など洗面化粧台１００が設置された空間が暗い場合であっても、吐水部１２及び吐水部１２から吐出された水を視認し易くし、使い勝手を向上させることができる。
【００９４】
照明部１６４及び光透過窓４６の数は、１つに限ることなく、２つ以上でもよい。すなわち、水栓装置１０は、複数の照明部１６４及び複数の光透過窓４６を有してもよい。また、光透過窓４６は、必要に応じて設けられ、省略可能である。例えば、照明部１６４は、棚部１６の外面に取り付けてもよい。照明部１６４の取付位置は、上記に限ることなく、棚部１６の鉛直下方の領域を照明可能な任意の位置でよい。
【００９５】
着脱検知センサ１６６は、吐水部１２の壁面ＷＳ又は棚部１６に対する着脱を検知する。すなわち、着脱検知センサ１６６は、吐水部１２が壁面ＷＳ又は棚部１６に取り付けられた状態か、吐水部１２が壁面ＷＳ又は棚部１６から取り外された状態か、を検知する。着脱検知センサ１６６は、制御部１６０に接続され、検知結果を制御部１６０に入力する。
【００９６】
制御部１６０は、吐水部１２が取り外されたことを着脱検知センサ１６６が検知すると、センサ部２４による自動吐水の機能をオフにする。これにより、吐水部１２を壁面ＷＳ又は棚部１６から取り外して使用する際に、吐水部１２を掴んだ手に反応し、意図せず吐水部１２から吐水が行われてしまうことを抑制することができる。着脱検知センサ１６６は、例えば、機械式のスイッチ、光学センサ、あるいは磁気センサなど、吐水部１２の着脱を検知可能な任意のスイッチ又はセンサでよい。
【００９７】
漏水検知センサ１５８は、下部キャビネット１０６内における漏水を検知する。漏水検知センサ１５８は、制御部１６０に接続され、検知結果を制御部１６０に入力する。制御部１６０は、漏水検知センサ１５８によって漏水が検知された場合、例えば、表示操作部１６８などによって漏水の検知を使用者などに報知する。
【００９８】
以上、説明したように、本実施形態に係る洗面化粧台１００では、機能水生成部１５２などの別の電気機器を電源回路１５０に接続するだけで、照明装置１１０及び別の電気機器に電力を供給することができる。建築躯体に用意されているコンセントが一口又は直結配線であっても、追加の電源工事や商用電源ＰＳの配線経路を分岐する作業などを不要とすることができる。これにより、施工作業が容易になるとともに、施工にかかる時間及びコストの削減を図ることができる。従って、商用電源ＰＳから供給される交流電力の配線経路への分岐点の追加や、建築躯体への電源工事などを必要とすることなく、電気機器を設置する場合と設置しない場合とに対応することができる洗面化粧台１００を提供することができる。
【００９９】
照明装置１１０及び別の電気機器に直流電力を供給可能な電源回路１５０とした場合、例えば、照明装置１１０のみに直流電力を供給する電源回路などと比べて比較的大きくなる可能性がある。このため、例えば、このような電源回路１５０を照明装置１１０に設けると、照明装置１１０のサイズが大きくなってしまう恐れがある。これに対して、洗面化粧台１００では、電源回路１５０を下部キャビネット１０６内に収納する。これにより、照明装置１１０及び別の電気機器に直流電力を供給可能な電源回路１５０とした場合にも、照明装置１１０などのサイズをコンパクトに維持することができる。
【０１００】
また、洗面化粧台１００では、電源回路１５０から照明装置１１０に至るまでの配線長が長くなった場合にも、電源回路１５０と照明装置１１０との間に制御部１６０を中継部として設け、制御部１６０で照明用電力を生成することにより、配線長に起因する電力の減衰を抑制し、適切な光量で照明装置１１０を点灯させることができる。
【０１０１】
例えば、上記のようにパルス電圧の照明用電力を照明装置１１０に供給する場合に、照明用電力を供給する配線の長さが長くなると、パルス電圧に起因する高周波ノイズが、他の機器に悪影響を与えてしまう可能性が生じる。このため、照明用電力に供給する配線に、高価なシールドケーブルを使用する必要が生じ、洗面化粧台１００のコストアップを招いてしまう可能性がある。あるいは、制御部１６０や照明装置１１０の基板に高周波ノイズを吸収するための部品（例えば、フィルタ回路やフェライトコアなど）を実装する必要が生じ、制御部１６０や照明装置１１０のコストアップやサイズアップを招いてしまう可能性がある。
【０１０２】
これに対して、電源回路１５０と照明装置１１０との間に制御部１６０を設けることにより、電源回路１５０から照明装置１１０に照明用電力を直接供給する場合と比べて、照明用電力を供給する配線の長さを比較的短くすることができる。これにより、パルス電圧に起因する高周波ノイズが、他の機器に悪影響を与えてしまうことを抑制することができる。例えば、シールドケーブルを用いたり、高周波ノイズを吸収するための部品を用いたりする必要を無くし、コストアップやサイズアップなどを抑制することができる。
【０１０３】
なお、上記実施形態では、制御部１６０を中継部の一例として示しているが、中継部は、制御部１６０とは別に設けてもよい。中継部は、電源回路１５０と照明装置１１０との間に設けられ、少なくとも照明用変換回路１８２を有する任意の部材でよい。
【０１０４】
さらに、洗面化粧台１００では、サービスコンセント１４２、１４６をさらに備えることにより、洗面化粧台１００の利便性をより高めることができる。また、サービスコンセント１４２、１４６を接続部１４０と電源回路１５０との間に設け、サービスコンセント１４２、１４６を介して電源回路１５０に商用電源ＰＳの交流電力を供給することにより、サービスコンセント１４２、１４６を設ける場合にも、追加の電源工事や商用電源ＰＳの配線経路を分岐する作業などを不要とすることができる。
【０１０５】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、洗面化粧台１００などが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【０１０６】
１０ 水栓装置、  １２ 吐水部、  １４ 操作部、  １６ 棚部、  ２０ 機能水吐出部、  ２２ 機能水照射部、  ２４ センサ部、  ２６ 機能水操作スイッチ、  ２７ 自動吐水切替スイッチ、  ２８ 温水準備スイッチ、  ４６ 光透過窓、  １００ 洗面化粧台、  １０２ 洗面器、  １０６ 下部キャビネット、  １０８ ミラーキャビネット、  １１０ 照明装置、  １１０ａ 発光素子、  １２２ ボウル部、  １２４ バックガード部、  １３０ キャビネット本体、  １３１ａ〜１３３ａ 鏡、  １３１〜１３３ 扉、  １４０ 接続部、  １４２ サービスコンセント、  １４４ 照明スイッチ、  １４６ サービスコンセント、  １５０ 電源回路、  １５２ 機能水生成部、  １５４ 電磁弁、  １５５ 電磁弁、  １５６ 電磁弁、  １５７ 分岐金具、  １５８ 漏水検知センサ、  １６０ 制御部、  １６２ 温度センサ、  １６４ 照明部、  １６６ 着脱検知センサ、  １６８ 表示操作部、  １７０ 止水栓、  １７２ 止水栓、  １８０ 接続口、  １８２ 照明用変換回路、  １８４ 制御用変換回路
【図１】
2019146697.tif 000003
【図２】
2019146697.tif 000004
【図３】
2019146697.tif 000005